(57)【要約】このガングリップコントローラ１は、自動車模型等を制御する引金状レバー２３やステアリングダイアル１１等を有する略棒状になされたコントローラ本体３と、このコントローラ本体３から突出して設けられたグリップ７とを有し、グリップ７は、コントローラ本体３に回動可能に設けられているとともに、コントローラ本体３から前記コントローラ本体３の長手方向に交わる方向に突出した突出位置２５と、コントローラ本体３の長手方向に沿う方向に折畳まれた折畳み位置２７とを採り得るようになされている。従って、ガングリップ形状でありながら、梱包時、携行時にはコンパクトな形状にすることができる。
2003090891.tif 000002
【特許請求の範囲】
【請求項１】
被コントロール体を制御する操作部を有する略棒状になされたコントローラ本体と、
このコントローラ本体から突出して設けられたグリップと、
を備え、
前記グリップは、前記コントローラ本体に回動可能に設けられているとともに、前記コントローラから前記コントローラ本体の長手方向に交わる方向に突出した突出位置と、前記コントローラ本体の長手方向に沿う方向に折畳まれた折畳み位置とを採り得るようになされていることを特徴とするガングリップコントローラ。
【請求項２】
前記コントローラ本体は、前記グリップとの接続部に、引金状操作部を有し、
前記グリップには、前記折畳み位置において前記引金状操作部を収納する収納凹部が設けられ、この収納凹部の開口部には、前記折畳み位置においては、前記引金状操作部を収納すべく開位置になされ、前記突出位置においては閉位置になされる開閉扉が設けられていることを特徴とする請求の範囲第１項に記載のガングリップコントローラ。
【請求項３】
前記開閉扉は、観音開きになされていることを特徴とする請求の範囲第２項に記載のガングリップコントローラ。
【発明の詳細な説明】
技術分野
本発明は、ラジコン制御等に用いられるガングリップコントローラに関するものである。
背景技術
一般に、ラジコン玩具は、コントロールされる自動車模型等の被コントロール体と、この被コントロール体を制御するコントローラとを有している。
このコントローラとしては、従来、両手でコントローラ本体を保持し、両手の指でこのコントローラ本体に設けられたスイッチ、スティック等を操作するものが知られている。
一方、近年このタイプのコントローラの他に、ガングリップ形状を有するコントローラが使用されるようになってきている。
このガングリップコントローラは、ピストルの銃身に相当するコントローラ本体と、ピストルのグリップに相当するグリップとが、略Ｌ字又はＴ字状に構成されており、コントローラ本体にはスイッチ、ダイヤル等が設けられ、グリップとコントローラ本体との接続部には、引金状レバー等が設けられている。そして、通常左手でグリップを把持するとともに、左手の人差し指で引金状レバーを操作し、右手でコントローラ本体に設けられたスイッチ、ダイヤル、スティック等を操作する。
しかしながら、このようなガングリップコントローラにあっては、グリップとコントローラ本体とが、通常Ｌ字もしくはＴ字を成すように構成されているため、コントローラの梱包時に大きなスペースを必要とするとともに、携行時に嵩張るという問題点があった。
本発明は、上記問題点を解決することをその課題とし、ガングリップ形状でありながら、梱包時、携行時にはコンパクトな形状にできるガングリップコントローラを提供することを目的としている。
発明の開示
請求の範囲第１項に記載の発明は、被コントロール体を制御する操作部を有する略棒状になされたコントローラ本体と、このコントローラ本体から突出して設けられたグリップとを備え、前記グリップは、前記コントローラ本体に回動可能に設けられているとともに、前記コントローラから前記コントローラ本体の長手方向に交わる方向に突出した突出位置と、前記コントローラ本体の長手方向に沿う方向に折畳まれた折畳み位置とを採り得るようになされていることを特徴とする。
請求の範囲第２項に記載の発明は、前記コントローラ本体は、前記グリップとの接続部に、引金状操作部を有し、前記グリップには、前記折畳み位置において前記引金状操作部を収納する収納凹部が設けられ、この収納凹部の開口部には、前記折畳み位置においては前記引金状操作部を収納すべく開位置になされ、前記突出位置においては閉位置になされる開閉扉が設けられていることを特徴とする。
請求の範囲第３項に記載の発明は、前記開閉扉は、観音開きになされていることを特徴とする。
そして、請求の範囲第１項に記載の発明においては、グリップは、コントローラ本体に回動可能に設けられているとともに、前記コントローラ本体から前記コントローラ本体の長手方向に交わる方向に突出した突出位置と、前記コントローラ本体の長手方向に沿う方向に折畳まれた折畳み位置とを採り得るようになされているから、必要に応じて容易に折畳み位置にすることができ、従ってガングリップ形状でありながら、梱包時、携帯時のサイズを大幅に減少させることができる。
また、請求の範囲第２項及び第３項に記載の発明においては、コントローラ本体は、グリップとの接続部に、引金状操作部を有し、前記グリップには、折畳み位置において前記引金状操作部を収納する収納凹部が設けられ、この収納凹部の開口部には、前記折畳み位置において、前記引金状操作部を収納すべく開位置になされ、前記突出位置において閉位置になされる観音扉状の開閉扉が設けられているから、折畳み位置において、開閉扉は引金状操作部によって押し開けられ、引金状操作部は収納凹部に収納され、突出位置において、収納凹部から引金状操作部が後退すると開閉扉が自動的に閉まる。従って、ゴミ等の進入を防止し、グリップ感を向上させることができる。
発明を実施するための最良の形態
以下、本発明に係るガングリップコントローラの実施の形態を図１ないし図３を参照して説明する。
図１は、本発明の一実施の形態であるガングリップコントローラ１を示すものである。このガングリップコントローラ１は、コントローラ本体３とこのコントローラ本体３に軸５を中心にして回動可能に設けられたグリップ７とを有している。コントローラ本体３は、形状的にはピストルの銃身に相当する部分で棒状に形成されており、その内部に被コントロール体である自動車模型等を制御するための送信器（図示せず）を有している。このコントローラ本体３の右側面には、このガングリップコントローラ１の電源スイッチ９、自動車模型のステアリングを操作するためのステアリングダイアル１１、その他のスイッチ１３，…が設けられている。また、コントローラ本体３の上面には、送信用のロッドアンテナ１５が着脱可能に設けられている。このロッドアンテナ１５は、梱包時、携帯時には、コントローラ本体３の左側面に形成されたアンテナ収納溝１７に収納されており、使用時にここから取り外し、コントローラ本体３上面のアンテナ取付部１９にねじ込むようになっている。また、コントローラ本体３の上面先端側には、電源ランプ２１が設けられている。
一方、コントローラ本体３の下面には、引金状レバー２３が設けられている。この引金状レバー２３は、後方に引くと自動車模型を前進させ、前方に押すと後退させることができ、押す又は引く量が大きければ速度も大きくなるようになっている。
コントローラ本体３に設けられたグリップ７は、コントローラ本体３から略Ｌ字状、略Ｔ字状に突出した突出位置２５と、コントローラ本体３の長手方向に沿って折畳まれる折畳み位置２７とを採り得るようになされている。そして、グリップ７を突出位置２５にすると、ラチェット機構（図示せず）が自動的に作動し、グリップ７を突出位置２５にロックできるようになっている。また、このロックを解除するためのロック解除ボタン２９がグリップ７の上端部に設けられている。そして、このロック解除ボタン２９を押すことによってグリップ７のロックを解除し、折畳み位置に戻すことができるようになっている。
また、グリップ７には、グリップ７が折畳み位置にあるとき、引金状レバー２３を収納するレバー収納凹部３１が形成されている。このレバー収納凹部３１の開口部３３には、グリップ７が突出位置２５にあるときは閉鎖され、折畳み位置２７にあるときは開放されて引金状レバー２３を収納可能にする開閉扉３５が設けられている。この開閉扉３５は、観音開きになされており、常時閉位置にバネ等で付勢されている。そして、この開閉扉３５は、引金状レバー２３がレバー収納凹部３１に嵌入することによって押し開かれ、引金状レバーがレバー収納凹部３１から引き抜かれるとバネの付勢力によって閉まるようになっている。そして、この開閉扉３５は、グリップ７が突出位置２５にあるとき、ゴミ等が内部に入るのを防止するとともに、グリップの握り感を向上させるようになっている。なお、グリップ７内部には、バッテリが収納されており、コントローラの電源として使用される。
このようなガングリップコントローラ１の作用について説明する。
梱包時又は携帯時には、グリップ７を折畳み位置２７に回動する。この際、観音開きの開閉扉３５は、引金状レバー２３によって押し開けられ、引金状レバー２３はレバー収納凹部３１に収納される。このようにグリップ７を折畳み位置にすることによって、ガングリップコントローラ１の全体としてのサイズを大幅に減少させることができ、従って梱包サイズの削減が可能となり、携帯を容易にすることができる。
一方、ガングリップコントローラ１の使用時には、グリップ７を回動して引き起こす。この際、レバー収納凹部３１から引金状レバー２３が後退すると、開閉扉３５がバネ等の付勢力によって自動的に閉まる。そして、グリップ７を突出位置にするとラチェット機構が自動的に作動し、グリップ７を突出位置に固定する。このように、このガングリップコントローラ１は、使用時にグリップ７を突出位置に引き起こすだけで容易に略Ｔ字又はＬ字状のガングリップ形状にすることができ、即使用することができる。また、開閉扉３５が自動的に閉状態になるので、ゴミ等の進入を防止し、またグリップ感を向上させることができる。
以上説明したように、このガングリップコントローラ１にあっては、自動車模型等を制御する引金状レバー２３やステアリングダイアル１１等を有する略棒状になされたコントローラ本体３と、このコントローラ本体３から突出して設けられたグリップ７とを有し、グリップ７は、コントローラ本体３に回動可能に設けられているとともに、コントローラ本体３から前記コントローラ本体３の長手方向に交わる方向に突出した突出位置２５と、コントローラ本体３の長手方向に沿う方向に折畳まれた折畳み位置２７とを取り得るようになされているから、ガングリップ形状でありながら、梱包、携帯時にガングリップコントローラ全体としてのサイズを大幅に減少させることができ、従って梱包サイズの削減が可能となり、携帯を容易にすることができる。
また、コントローラ本体３は、グリップ７との接続部に、引金状レバー２３を有し、グリップ７には、折畳み位置２７において引金状レバー２３を収納するレバー収納凹部３１が設けられ、このレバー収納凹部３１の開口部３３には、折畳み位置２７においては、引金状レバー２３を収納すべく開位置になされ、突出位置２５においては閉位置になされる観音開きの開閉扉３５が設けられているから、折畳み位置２７においては、開閉扉３５は、引金状レバー２３によって押し開けられ、引金状レバー２３はレバー収納凹部３１に収納され、突出位置２５においては、レバー収納凹部３１から引金状レバー２３が後退すると、開閉扉３５がバネ等の付勢力によって自動的に閉まる。従って、ゴミ等の進入を防止し、グリップ感を向上させることができる。
なお、上記実施の形態にあっては、被コントロール体として、自動車模型を採用しているが、これに限る必要はなく、ラジオコントロール、リモートコントロールされるものであればどのようなものでもよく、飛行機、船、電車、ロボット等の模型や玩具、その他産業用の機器、車両等であってもよい。
【図面の簡単な説明】
図１は、本発明に係る実施の形態であるガングリップコントローラを示す一部切欠き断面図である。
図２は、図１に示すガングリップコントローラの上面図である。
図３は、図１に示すガングリップコントローラの側面図である。
【図１】
2003090891.tif 000003
【図２】
2003090891.tif 000004
【図３】
2003090891.tif 000005
【手続補正書】
【提出日】平成16年3月26日(2004.3.26)
【手続補正１】
【補正対象書類名】特許請求の範囲
【補正対象項目名】請求項１
【補正方法】変更
【補正の内容】
【請求項１】
被コントロール体を制御する操作部を有する略棒状になされたコントローラ本体と、
このコントローラ本体から突出して設けられたグリップと、
を備え、
前記グリップは、前記コントローラ本体に回動可能に設けられているとともに、前記コントローラから前記コントローラ本体の長手方向に交わる方向に突出した突出位置と、前記コントローラ本体の長手方向に沿う方向に折畳まれた折畳み位置とを採り得るようになされ、
前記コントローラ本体は、前記グリップとの接続部に、引金状操作部を有し、
前記グリップには、前記折畳み位置において前記引金状操作部を収納する収納凹部が設けられていることを特徴とするガングリップコントローラ。
【手続補正２】
【補正対象書類名】特許請求の範囲
【補正対象項目名】請求項２
【補正方法】変更
【補正の内容】
【請求項２】
前記収納凹部の開口部には、前記折畳み位置においては、前記引金状操作部を収納すべく開位置になされ、前記突出位置においては閉位置になされる開閉扉が設けられていることを特徴とする請求の範囲第１項に記載のガングリップコントローラ。
【国際調査報告】
2003090891.tif 000006
2003090891.tif 000007
2003090891.tif 000008